(57)【要約】【課題】連絡先との連絡に利用可能な連絡ツールを把握し易く、より有効に連絡帳を活用できる連絡帳登録装置を提供する。【解決手段】連絡帳登録装置１０は、連絡帳に登録される人物の連絡先を表す項目を設定する設定部１１ａと、設定部１１ａにより設定された連絡先を表す項目に、連絡先と通信により接続するための接続先を登録する登録部１１ｂとを備える。また、登録部１１ｂは、同じ連絡先を表す項目に、それぞれ互いに異なる複数の接続先を登録する。【選択図】図２
2014116754.tif 000002
【特許請求の範囲】
【請求項１】
連絡帳に登録される人物の連絡先を表す項目を設定する設定手段と、
前記設定手段により設定された前記項目に、前記連絡先と通信により接続するための接続先を登録する登録手段と、を備え、
前記登録手段は、同じ前記項目に、それぞれ互いに異なる複数の前記接続先を登録する、
ことを特徴とする連絡帳登録装置。
【請求項２】
前記連絡先を表す項目は、前記連絡先との連絡に用いる通信方法を表す情報を含み、
前記設定手段は、前記通信方法を表す情報を含む連絡先を設定する、
ことを特徴とする請求項１に記載の連絡帳登録装置。
【請求項３】
前記設定手段は、前記連絡先を表す項目とは別に、住所を表す項目を設定し、
前記登録手段は、前記住所を表す項目に、前記人物の住所及び前記人物の住所に基づいて所定の処理を行う処理先を登録する、
ことを特徴とする請求項１または２に記載の連絡帳登録装置。
【請求項４】
前記登録手段は、前記住所を表す項目に、それぞれ互いに異なる処理を行う複数の前記処理先を登録する、
ことを特徴とする請求項３に記載の連絡帳登録装置。
【請求項５】
連絡帳に登録される人物の連絡先を表す項目に、前記連絡先と通信により接続するための、それぞれ互いに異なる複数の接続先を登録するステップを有する、
ことを特徴とする連絡帳登録方法。
【請求項６】
コンピュータを、
連絡帳に登録される人物の連絡先を表す項目を設定する設定手段、
前記設定手段により設定された前記項目に、前記連絡先と通信により接続するための接続先を登録する登録手段、として機能させ、
前記登録手段は、同じ前記項目に、それぞれ互いに異なる複数の前記接続先を登録する、
ことを特徴とするプログラム。
【発明の詳細な説明】
【技術分野】
【０００１】
本発明は、連絡帳登録装置、連絡帳登録方法、及びプログラムに関する。
【背景技術】
【０００２】
携帯電話やスマートフォン等の携帯端末には、氏名、電話番号、メールアドレス、住所等の情報を有する連絡帳が人物毎に記憶されている。この連絡帳は、主に電話やメールで連絡先に連絡をするときに使用される。携帯端末に連絡帳を登録する技術として、例えば、特許文献１には、例えば連絡先である相手の電話番号が変更された場合に、変更前の電話番号に基づいて表示を許可する一方、通信を許否する設定を行う連絡帳登録装置が開示されている。
【０００３】
一方、通常の電話と同様の音声通話や、ＩＭ（インスタントメッセージ）のやり取りを行うためのアプリケーションが数多く存在している。このアプリケーションを携帯端末にインストールし、また、同じアプリケーションを利用する相手のアカウントを登録しておくことにより、利用者同士で音声通話やＩＭのやり取りを行うことができる。この種のアプリケーションは、インターネット回線に接続できる環境に設定されていれば無料で利用でき、通常の電話やメール以外の連絡ツールとして利用される傾向が高まっている。
【先行技術文献】
【特許文献】
【０００４】
【特許文献１】特開２０１２−１５１７１６号公報
【発明の概要】
【発明が解決しようとする課題】
【０００５】
しかしながら、上記アプリケーションを利用する相手のアカウントは、通常、アプリケーション毎に管理される。そのため、アカウントの数や、携帯端末にインストールされるアプリケーションの種類が増えるにつれ、ユーザは、どの連絡ツールで連絡先に連絡できるのか把握しにくくなる、という問題があった。
【０００６】
本発明は、このような問題を解決するためのものであり、連絡先との連絡に利用可能な連絡ツールを把握し易く、より有効に連絡帳を活用できる、連絡帳登録装置、連絡帳登録方法、及びプログラムを提供することを目的とする。
【課題を解決するための手段】
【０００７】
本発明の第１の観点に係る連絡帳登録装置は、
連絡帳に登録される人物の連絡先を表す項目を設定する設定手段と、
前記設定手段により設定された前記項目に、前記連絡先と通信により接続するための接続先を登録する登録手段と、を備え、
前記登録手段は、同じ前記項目に、それぞれ互いに異なる複数の前記接続先を登録する、
ことを特徴とする。
【０００８】
前記連絡先を表す項目は、前記連絡先との連絡に用いる通信方法を表す情報を含み、
前記設定手段は、前記通信方法を表す情報を含む連絡先を設定しても良い。
【０００９】
前記設定手段は、前記連絡先を表す項目とは別に、住所を表す項目を設定し、
前記登録手段は、前記住所を表す項目に、前記人物の住所及び前記人物の住所に基づいて所定の処理を行う処理先を登録しても良い。
【００１０】
前記登録手段は、前記住所を表す項目に、それぞれ互いに異なる処理を行う複数の前記処理先を登録しても良い。
【００１１】
本発明の第２の観点に係る連絡帳登録方法は、
連絡帳に登録される人物の連絡先を表す項目に、前記連絡先と通信により接続するための、それぞれ互いに異なる複数の接続先を登録するステップを有する、
ことを特徴とする。
【００１２】
本発明の第３の観点に係るプログラムは、
コンピュータを、
連絡帳に登録される人物の連絡先を表す項目を設定する設定手段、
前記設定手段により設定された前記項目に、前記連絡先と通信により接続するための接続先を登録する登録手段、として機能させ、
前記登録手段は、同じ前記項目に、それぞれ互いに異なる複数の前記接続先を登録する、
ことを特徴とする。
【発明の効果】
【００１３】
本発明によれば、連絡先との連絡に利用可能な連絡ツールを把握し易く、より有効に連絡帳を活用できる。
【図面の簡単な説明】
【００１４】
【図１】本発明の実施の形態に係る連絡帳登録装置によって登録された連絡帳のうちの一の連絡帳を画面に表示した例を示す図である。
【図２】図１に示した連絡帳登録装置の構成を示すブロック図である。
【図３】図１に示した連絡帳登録装置によって登録された連絡先の一覧を画面に表示した例を示す図である。
【図４】図２に示した連絡帳登録装置の記憶部に記憶される連絡帳ファイルの構成を示す図である。
【図５】（ａ）は、連絡帳に登録される各項目を示す図である。（ｂ）は、（ａ）に示した連絡先を表す項目に登録される情報を示す図である。（ｃ）は、（ａ）に示した住所を表す項目に登録される情報を示す図である。
【図６】本発明の実施の形態に係る連絡帳登録装置が実行する連絡帳登録処理を説明するためのフローチャートである。
【図７】図６に示した連絡帳登録処理に含まれる連絡帳データ編集処理を説明するためのフローチャートである。
【図８】（ａ）は、連絡先を設定する操作が行われたときの表示部の画面を示す図である。（ｂ）は、連絡先を表す項目が設定されたときの表示部の画面を示す図である。（ｃ）は、接続先を登録する操作が行われたときの表示部の画面を示す図である。（ｄ）は、接続先を表す情報が登録されたときの表示部の画面を示す図である。
【図９】住所を表す項目、その他の情報を表す項目が設定されたときの表示部の画面を示す図である。
【図１０】連絡帳データに設定された各種項目と、各種項目に登録された各種情報とが表示されたときの表示部の画面を示す図である。
【図１１】ユーザ以外の人物によって、連絡帳ファイルが生成される場合の例を説明するための図である。
【発明を実施するための形態】
【００１５】
以下、本発明の実施の形態について図面を参照して説明する。本実施形態に係る連絡帳登録装置は、携帯電話やスマートフォン等の携帯端末から構成された場合の一例を説明する。
【００１６】
はじめに図１を参照して携帯端末１０の概要を説明する。携帯端末１０には、氏名、電話番号、メールアドレス、住所等の情報を有する連絡帳データが人物毎に登録される。携帯端末１０に登録された個々の連絡帳データは、図１に示すように、表示部１５に表示される。
【００１７】
表示部１５には、連絡帳に登録された人物の連絡先を表す項目１５ａが表示され、その項目１５ａ毎に複数の接続先を表すアイコン１５ｂが表示される。アイコン１５ｂは、連絡先と通信により接続する接続先を表す。これにより、ユーザは、連絡先を表す項目１５ａ毎に、連絡先との連絡に利用可能な連絡ツールを容易に把握できる。また、ユーザは、表示されたアイコン１５ｂを選択する操作を行うことにより、対応する連絡ツールに基づいて連絡先との通信を容易に行うことができる。連絡先を表す項目１５ａ及びアイコン１５ｂは、ユーザが表示部１５の画面上で行う操作に従って、携帯端末１０が行う後述の処理によって設定及び登録される。
【００１８】
つづいて、図２を参照して、図１に示した携帯端末１０の構成を説明する。
【００１９】
携帯端末１０は、制御部１１と、記憶部１２と、通信部１３と、操作部１４と、表示部１５と、外部接続部１６とを備える。
【００２０】
通信部１３は、例えば、ＮＩＣ（Network Interface Card）等を備え、インターネット回線や携帯電話回線等のネットワークに接続するための通信インタフェース装置から構成される。通信部１３は、制御部１１の制御のもと通信を行い、ネットワークを介して受信した各種データを制御部１１に供給し、制御部１１から受け取った各種データをネットワークに送信する処理を行う。
【００２１】
操作部１４は、例えば、タッチパッド等、ユーザの各種操作を受け付けるユーザ入力インタフェース装置から構成される。操作部１４は、受け付けた各種操作に対応する操作信号を制御部１１に供給する。操作部１４は、具体的には、連絡帳に登録される人物の氏名、電話番号、メールアドレス、住所等の情報を入力する操作を受け付ける。また、連絡帳に登録される人物の連絡先を表す項目を設定する操作、設定された連絡先を表す項目に、連絡先と通信により接続するための接続先を登録する操作等を受け付ける。
【００２２】
表示部１５は、例えば、液晶表示装置、有機ＥＬ(Electro Luminescence)表示装置等の表示装置から構成される。表示部１５は、制御部１１の制御のもと、制御部１１から供給される各種画像データに基づいて、対応する各種画像を画面に表示する。具体的には、表示部１５の画面には、図１に示した連絡帳や、図３に示すように個々の連絡先を表す連絡先の一覧が表示される。なお、連絡先の一覧は、連絡先である相手の氏名及び画像を表す項目１５ｃの一覧によって表される。また、操作部１４及び表示部１５はタッチパネルから構成されても良い。
【００２３】
外部接続部１６は、ＵＳＢ（Universal Serial Bus）等、外部機器と接続するための外部接続インタフェースから構成される。外部接続部１６は、制御部１１の制御のもと、外部機器と通信を行い、外部機器から受信した各種データを制御部１１に供給し、制御部１１から受け取った各種データを外部機器に送信する処理を行う。
【００２４】
記憶部１２は、例えば、ＨＤＤ（Hard disk drive）、ＲＯＭ（Read Only Memory）、フラッシュメモリ等の記憶装置から構成される。記憶部１２は、制御部１１が各種処理を行うために使用する各種プログラム及びデータ、制御部１１が各種処理を行うことにより生成又は取得した各種データを記憶する。具体的には、記憶部１２は、通常の電話と同様の音声通話や、ＩＭのやり取りを行うためのアプリケーションを記憶する。また、記憶部１２には、後述の連絡帳ファイル１２ｂに登録される、個々の人物の氏名、電話番号、メールアドレス、住所等の各種情報を記憶する。
【００２５】
また、記憶部１２は、連絡帳登録プログラム１２ａ、連絡帳ファイル１２ｂを記憶する。
【００２６】
連絡帳登録プログラム１２ａは、連絡帳ファイル１２ｂを生成するためのソフトウェアである。連絡帳登録プログラム１２ａは、制御部１１によって実行される。
【００２７】
また、連絡帳ファイル１２ｂは、連絡帳登録プログラム１２ａによって生成されるファイルである。連絡帳ファイル１２ｂは、図４に示すように、エントリ番号毎に連絡帳データを有する。なお、エントリ番号は連絡帳データが登録された順に付与される。
【００２８】
連絡帳データには、図５（ａ）に示すように、連絡先である相手の氏名、画像、連絡先、住所、ＳＮＳ（ソーシャル・ネットワーキング・サービス）、Ｗｅｂサイト等を表す項目が設定される。
【００２９】
連絡先を表す項目には、例えば、携帯電話、自宅、勤務先等、機器や場所等を表す情報が設定される。また、連絡先を表す項目は、電話やメール等、連絡先との連絡に用いる通信方法を表す情報を有する。連絡先を表す項目は、記憶部１２に予め記憶された複数の連絡先を表す項目の中からユーザによって選択された一の項目が設定されても良いし、ユーザの定義によって設定（カスタム設定）されても良い。
【００３０】
また、連絡先を表す項目には、図５（ｂ）に示すように、連絡先と通信により接続するための接続先を表す情報が登録される。また、接続先を表す情報には、ユーザがアプリケーションを識別するためのアイコン等の画像データ（表示情報）が含まれる。
【００３１】
例えば、連絡先を表す項目が携帯電話（通信方法が電話）である場合、相手の携帯電話と通常の電話または通常の電話と同様の音声通話を行うための接続先を表す情報が登録される。この場合、通信に利用されるアプリケーション（連絡ツール）が通常の電話によるものであるときは、そのアプリケーションが携帯端末１０において記憶されている場所（ディレクトリの位置）、相手の携帯電話の電話番号等に基づいて接続先を表す情報が生成される。一方、通信に利用されるアプリケーションが通常の電話以外の音声通話によるものであるときは、そのアプリケーションが携帯端末１０において記憶されている場所、接続先を特定するための相手のアカウント名（相手が携帯電話で利用するアカウント名）、処理内容が通話であることを表す情報等に基づいて生成される。
【００３２】
また、連絡先を表す項目が自宅（通信方法が電話）である場合、相手の自宅に設置された固定電話またはＰＣ（Personal Computer）等の各種機器と、通常の電話または通常の電話と同様の音声通話を行うための接続先を表す情報が登録される。この場合、通信に利用されるアプリケーションが通常の電話によるものであるときは、そのアプリケーションが携帯端末１０において記憶されている場所（ディレクトリの位置）、相手の固定電話の電話番号等に基づいて接続先を表す情報が生成される。一方、通信に利用されるアプリケーションが通常の電話以外の音声通話によるものであるときは、そのアプリケーションが携帯端末１０において記憶されている場所、接続先を特定するための相手のアカウント名（相手がＰＣで利用するアカウント名）、処理内容が通話であることを表す情報等に基づいて生成される。
【００３３】
また、連絡先を表す項目が携帯電話（通信方法がメールまたはＩＭ（インスタントメッセージ））である場合、相手の携帯電話とメールまたはＩＭのやりとりを行うための接続先を表す情報が登録される。この場合、通信に利用されるアプリケーションが通常のメールによるものであるときは、そのアプリケーションが携帯端末１０において記憶されている場所（ディレクトリの位置）、相手のメールアドレス等に基づいて接続先を表す情報が生成される。一方、通信に利用されるアプリケーションが通常のメール以外のＩＭのやり取り（チャット）を行うものであるときは、そのアプリケーションが携帯端末１０において記憶されている場所、接続先を特定するための相手のアカウント名（相手が携帯電話で利用するアカウント名）、処理内容がチャットであることを表す情報等に基づいて生成される。
【００３４】
また、連絡先を表す項目が自宅（通信方法がメールまたはＩＭ）である場合、相手の自宅に設置されたＰＣとメールまたはＩＭのやりとりを行うための接続先を表す情報が登録される。この場合、通信に利用されるアプリケーションが通常のメールによるものであるときは、そのアプリケーションが携帯端末１０において記憶されている場所（ディレクトリの位置）、相手のメールアドレス等に基づいて接続先を表す情報が生成される。一方、通信に利用されるアプリケーションが通常のメール以外のＩＭのやり取りを行うものであるときは、そのアプリケーションが携帯端末１０において記憶されている場所、接続先を特定するための相手のアカウント名（相手がＰＣで利用するアカウント名）、処理内容がチャットであることを表す情報等に基づいて生成される。
【００３５】
さらに、住所を表す項目には、図５（ｃ）に示すように、相手の住所を表す情報と、相手の住所に基づいて所定の処理を行う処理先とを表す情報が登録される。処理先は、例えば、経路検索機能や地図情報を提供するＷｅｂサイトに接続するためのリンク先等である。また、処理先は１つ以上あれば良い。また、処理先は、住所を表す項目に設定される情報として記憶部１２に予め記憶されたものを自動的に登録しても良いし、記憶部１２に予め記憶された複数の処理先の中からユーザによって選択されたものが登録されても良い。さらに、処理先は、ユーザの定義によって登録（カスタム登録）されても良い。また、処理先を表す情報には、ユーザが処理先であるＷｅｂサイト等を識別するためのアイコン等の画像データ（表示情報）が含まれる。
【００３６】
制御部１１は、例えば、ＣＰＵ(Central Processing Unit)、ＣＰＵのメインメモリとして機能するＲＡＭ（Random Access Memory）等から構成される。なお、制御部１１は、一部がＡＳＩＣ（Application Specific Integrated Circuit）等の専用回路から構成されてもよい。制御部１１は、携帯端末１０全体を制御する。
【００３７】
また、制御部１１は、記憶部１２に記憶された連絡帳登録プログラム１２ａを実行することにより、設定部１１ａ及び登録部１１ｂとして機能する。制御部１１は、携帯端末１０の電源がオンになったときに連絡帳登録プログラム１２ａの実行を開始し、後述の連絡帳登録処理を開始する。制御部１１は、携帯端末１０の電源がオフ、または、ユーザによって連絡帳登録プログラム１２ａの実行を停止する操作がされるまで、連絡帳登録プログラム１２ａを実行する。
【００３８】
以上のように構成された携帯端末１０が行う連絡帳登録処理について、図６を参照して説明する。
【００３９】
設定部１１ａは、操作部１４を操作するユーザの操作に従って、記憶部１２に記憶された連絡帳ファイル１２ｂが読み出される操作が行われたか否かを判別する（ステップＳＡ１）。設定部１１ａは、連絡帳ファイル１２ｂが読み出される操作が行われるまでは待機状態となる（ステップＳＡ１；ＮＯ）。
【００４０】
一方、設定部１１ａは、連絡帳ファイル１２ｂが読み出される操作が行われたと判別した場合は（ステップＳＡ１；ＹＥＳ）、連絡帳ファイル１２ｂが有する個々の連絡帳データの一覧を、例えば、図３に示すように、連絡先である相手の氏名及び画像を表す項目１５ｃ毎に表示部１５の画面に表示する（ステップＳＡ２）。
【００４１】
つづいて、設定部１１ａは、ユーザの操作に従って、連絡帳データの編集を始める操作がされたか否かを判別する（ステップＳＡ３）。例えば、ユーザが表示部１５に表示された個々の連絡帳データの一覧を確認し、その中から編集対象の連絡帳データを選択する操作が行われた場合や、新規に連絡帳データを作成する操作が行われた場合、設定部１１ａは、連絡帳データの編集を始める操作がされたと判別する（ステップＳＡ３；ＹＥＳ）。一方、設定部１１ａは、連絡帳データの編集を始める操作が行われるまでは待機状態となる（ステップＳＡ３；ＮＯ）。
【００４２】
一方、設定部１１ａは、連絡帳データの編集を始める操作がされたと判別した場合は（ステップＳＡ３；ＹＥＳ）、図８（ａ）に示すように、編集対象の連絡帳データにより表される各種項目を表示部１５に表示する。その後、設定部１１ａは、連絡帳データ編集処理を開始する（ステップＳＡ４）。
【００４３】
つづいて、ステップＳＡ４において行われる連絡帳データ編集処理について、図７を参照して説明する。
【００４４】
設定部１１ａは、連絡先を新たに設定する操作が行われたか否かを判別する（ステップＳＢ１）。例えば、携帯端末１０の表示部１５の画面上、連絡先を設定する操作を受け付ける位置（操作部１４）で操作が行われた場合、設定部１１ａは、連絡先を新たに設定する操作が行われたと判別し（ステップＳＢ１；ＹＥＳ）、図８（ａ）に示すように、表示部１５に連絡先を設定するための連絡先設定画面１５ｄを表示する。
【００４５】
ユーザは、連絡先設定画面１５ｄを確認し、例えば、連絡先設定画面１５ｄに表示される連絡先の候補の中から連絡先を選択する操作を行う。設定部１１ａは、ユーザの操作に従って選択された連絡先を表す項目を連絡帳データに設定する（ステップＳＢ２）。また、このとき、設定部１１ａは、図８（ｂ）に示すように、新たに設定された連絡先を表す項目１５ａを表示部１５に表示する。なお、連絡先が新たに設定された場合、設定部１１ａは、つづけて、接続先を表す情報の登録をユーザに促す画面１５ｅを、項目１５ａと隣り合う位置（同じ欄）に表示しても良い。
【００４６】
ステップＳＢ１において連絡先を設定する操作が行われていないと判別された場合（ステップＳＢ１；ＮＯ）、または、ステップＳＢ２の処理が行われた後、登録部１１ｂは、接続先を新たに登録する操作が行われたか否かを判別する（ステップＳＢ３）。例えば、携帯端末１０の表示部１５の画面上、接続先を登録する操作を受け付ける位置（操作部１４）で操作が行われた場合、登録部１１ｂは、接続先を新たに登録する操作が行われたと判別し（ステップＳＢ３；ＹＥＳ）、図８（ｃ）に示すように、表示部１５に接続先を登録するための接続先登録画面１５ｆを表示する。
【００４７】
ユーザは、接続先登録画面１５ｆを確認し、接続先登録画面１５ｆに表示された入力欄に接続先を表す情報を入力する操作を行う。例えば、ユーザが、携帯電話（通信方法；電話）を連絡先として設定した項目１５ａに、通常の電話を行うための接続先を表す情報を登録するとき、ユーザは、接続先登録画面１５ｆに表示された入力欄に、接続先を特定するための相手の携帯電話の電話番号等を入力する操作を行う。一方、通常の電話以外の音声通話を行うための接続先を表す情報を登録するとき、ユーザは、接続先登録画面１５ｆに表示された入力欄に、通常の電話以外の音声通話によるアプリケーションが携帯端末１０において記憶されている場所（ディレクトリの位置）、接続先を特定するための相手のアカウント名、処理内容が通話であることを表す情報等を入力する操作を行う。なお、接続先登録画面１５ｆには、携帯端末１０におけるディレクトリ構造を参照するための項目が表示される。ユーザは、この項目の選択により参照されるディレクトリ構造から上記入力欄に入力する各種情報を特定しても良い。
【００４８】
登録部１１ｂは、ユーザの操作に従って入力された各種情報に基づいて接続先を表す情報を生成し、これを対応する連絡先を表す項目に登録する（ステップＳＢ４）。また、このとき、登録部１１ｂは、図８（ｄ）に示すように、新たに登録された接続先を識別するためのアイコン１５ｂを項目１５ａと同じ欄に表示する。なお、接続先を表す情報が新たに登録された場合、登録部１１ｂは、つづけて、接続先を表す情報の登録をユーザに促す画面１５ｅを、表示されたアイコン１５ｂと隣り合う位置に表示しても良い。
【００４９】
ステップＳＢ３において接続先を登録する操作が行われていないと判別された場合（ステップＳＢ３；ＮＯ）、または、ステップＳＢ４の処理が行われた後、設定部１１ａは、連絡先である相手の住所を設定する操作が行われたか否かを判別する（ステップＳＢ５）。例えば、携帯端末１０の表示部１５の画面上、住所を設定する操作を受け付ける位置（操作部１４）で操作が行われた場合、設定部１１ａは、住所を設定する操作が行われたと判別し（ステップＳＢ５；ＹＥＳ）、住所を表す項目を連絡帳データに設定するとともに、図９に示すように、住所を表す項目１５ｇを表示部１５に表示する。
【００５０】
登録部１１ｂは、ユーザの操作に従って入力された相手の住所を、設定された住所を表す項目に登録する。相手の住所は、例えばユーザの操作に従って直接入力されても良いし、例えば、記憶部１２に記憶された相手の住所を登録しても良い。相手の住所は、例えば上記接続先を表す情報を登録するときと同様に、ディレクトリ構造の参照によって特定されても良い。
【００５１】
さらに、登録部１１ｂは、登録された相手の住所に基づいて所定の処理を行う処理先を、設定された住所を表す項目に登録する（ステップＳＢ６）。処理先は、経路検索機能や地図情報等を提供するＷｅｂサイト等である。また、このとき、登録部１１ｂは、図９に示すように、新たに設定された住所を表す項目１５ｇを表示するとともに、その項目１５ｇと同じ欄に、登録された処理先を識別するためのアイコン１５ｈを表示する。
【００５２】
ステップＳＢ５において住所を設定する操作が行われていないと判別された場合（ステップＳＢ５；ＮＯ）、または、ステップＳＢ６の処理が行われた後、設定部１１ａは、その他の情報を表す項目を新たに設定する操作が行われたか否かを判別する（ステップＳＢ７）。例えば、携帯端末１０の表示部１５の画面上、任意の項目を設定する操作を受け付ける位置（操作部１４）で操作が行われた場合、設定部１１ａは、その他の情報を設定（カスタム設定）する操作が行われたと判別し（ステップＳＢ７；ＹＥＳ）、ユーザの操作に従って設定される相手のＳＮＳやホームページ等を表す項目を連絡帳データに設定する（ステップＳＢ８）。また、このとき、登録部１１ｂは、ユーザの操作に従って入力されるＳＮＳやＷｅｂサイトに接続するためのＵＲＬ（Uniform Resource Locator）を、対応するその他の情報を表す項目に登録する。また、登録部１１ｂは、図９に示すように、その他の情報を表す項目１５ｉが表示された欄に、それぞれのＳＮＳやホームページへのリンク先を表すＵＲＬ１５ｊを表示部１５に表示する。
【００５３】
その後、登録部１１ｂは、連絡帳データの編集を終わる操作がされたか否かを判別する（ステップＳＢ９）。例えば、携帯端末１０の表示部１５の画面上に表示される編集完了ボタンが操作された場合、上記ステップＳＢ１〜ＳＢ８の処理によって編集された連絡帳データを含む連絡帳ファイル１２ｂを記憶部１２に記憶し、連絡帳データ編集処理を終了する。一方、携帯端末１０の表示部１５の画面上に表示されるキャンセルボタンが操作された場合、上記ステップＳＢ１〜ＳＢ８の処理によって編集された連絡帳データを含む連絡帳ファイル１２ｂは記憶部１２に記憶されずに連絡帳データ編集処理を終了する。
【００５４】
図６に戻り、ステップＳＡ４の連絡帳データ編集処理後、設定部１１ａは、上記ステップＳＡ１に戻り、上記ステップＳＡ１〜ＳＡ４の処理を、携帯端末１０の電源がオフ、または、ユーザによって連絡帳登録プログラム１２ａの実行を停止する操作がされるまで繰り返し行う。
【００５５】
以上の連絡帳登録処理によって個々の連絡帳データは生成され、順次、連絡帳ファイル１２ｂが更新される。記憶部１２に記憶された連絡帳ファイル１２ｂは、ユーザの操作に従って制御部１１によって読み出される。制御部１１は、ユーザの操作に従って連絡帳ファイル１２ｂから選択された連絡帳データを表示部１５に表示する。表示部１５には、図１０に示すように、連絡帳データに設定された各種項目と、各種項目に登録された各種情報とが表示される。
【００５６】
以上、説明したように、本実施形態に係る携帯端末１０によれば、連絡先を表す項目に、連絡先と通信により接続するための接続先が複数登録される連絡帳データを生成できる。これにより、ユーザは、連絡帳データを表示部１５の画面に表示したときに、連絡先に連絡をするために利用可能な連絡ツールが把握し易く、より有効に連絡帳を活用できる。
【００５７】
また、個々の連絡帳データには、住所を表す項目に、連絡先である相手の住所に基づいて所定の処理を行う処理先が登録され、この登録された処理先に基づいて相手の住所を利用できる。
【００５８】
なお、連絡先を表す項目に登録された接続先や、住所を表す項目に登録された処理先は、その利用頻度順、登録順、アプリケーションの名前順等によってソートできるようにしても良い。これにより、ユーザによって設定されるソートの内容に基づいて接続先（連絡ツール）や処理先がソートされ、ユーザは、利用可能な連絡ツールや処理先の中から、自身が利用するものを選択しやすくなる。
【００５９】
また、上記実施形態では、連絡帳ファイル１２ｂに、個々の連絡帳データを登録することについて説明したが、ユーザは、個々の連絡帳データ、あるいは、連絡帳データに含まれる各種項目について、適宜に編集、削除できる。
【００６０】
さらに、制御部１１が実行する連絡帳登録処理には、連絡帳ファイル１２ｂが更新されたときに、更新後の連絡帳ファイル１２ｂをクラウドサーバに反映させる処理が追加されても良い。具体的には、携帯端末１０の制御部１１（登録部１１ｂ）は、個々の連絡帳データが登録、編集、削除等されることにより、連絡帳ファイル１２ｂが更新されたとき、更新後の連絡帳ファイル１２ｂを、ユーザを識別するアカウントとともに、通信部１３からネットワークＮを介してクラウドサーバにアップロードする処理を行う。
【００６１】
一方、この場合、図１１に示すように、クラウドサーバ２０は、連絡帳ファイル１２ｂをアカウント毎に記憶する連絡帳ファイルデータベース２０ａを備える。クラウドサーバ２０は、携帯端末１０からアップロードされた連絡帳ファイル１２ｂ及びアカウントを基に、連絡帳ファイルデータベース２０ａに記憶された、同じアカウントを有する連絡帳ファイル１２ｂを更新する（反映する）。
【００６２】
これにより、携帯端末１０において連絡帳ファイル１２ｂが更新されたときに、同期処理が行われ、連絡帳ファイルデータベース２０ａでは、アカウント毎に最新の連絡帳ファイル１２ｂが管理され、携帯端末１０が故障、紛失等した場合でも、より安全に連絡帳ファイル１２ｂを管理できる。なお、連絡帳ファイル１２ｂ及びアカウントのアップロード（携帯端末１０とクラウドサーバ２０との同期）は、定期的（１日１回）、ユーザの操作（手動）に従って行うようにしても良い。
【００６３】
また、これまでの説明で、携帯端末１０を連絡帳登録装置の一例として説明したが、本発明に係る連絡帳登録装置は、携帯電話やスマートフォン等の携帯端末に限定されず、例えば、タブレット型、ノート型、あるいは、デスクトップ型のＰＣに適用されても良い。また、連絡帳ファイル１２ｂは、ユーザ以外の人物が代行することにより生成されても良い。例えば、図１１に示すように、ユーザは、新たに携帯端末１０を購入した店舗にて、個々の連絡帳データに設定する各種項目（連絡先、住所等）や、各種項目に登録する各種情報（接続先（連絡ツール）、処理先等）や、ユーザのアカウント、パスワード等が記入された用紙を店員に渡し、連絡帳ファイル１２ｂの作成を申し込んでも良い。
【００６４】
この場合、店員は、店舗内に設置された店舗用端末３０を連絡帳登録装置として使用する。店員は、ユーザから渡された用紙に記入されたユーザのアカウント、パスワードを基に、クラウドサーバ２０の連絡帳ファイルデータベース２０ａに記憶されたユーザの連絡帳ファイル１２ｂを店舗用端末３０にダウンロードする。この連絡帳ファイル１２ｂには、購入前の（古い）携帯端末に登録された、個々の連絡帳データ（電話番号、メールアドレス、住所、リンク先等）を有する。店員は、店舗用端末３０において、ユーザから渡された用紙に記入された、個々の連絡帳データに設定する各種項目（連絡先、住所等）や、各種項目に登録する各種情報（接続先（連絡ツール）、処理先等）を基に、個々の連絡帳データを作成する。これにより連絡帳ファイル１２ｂは更新され、更新後の連絡帳ファイル１２ｂは、店舗用端末３０からクラウドサーバ２０の連絡帳ファイルデータベース２０ａにアップロードされる。その後、店員はユーザに連絡帳ファイル１２ｂを作成した旨を電話やメール等で連絡する。ユーザは、ユーザのアカウント、パスワードを基に、クラウドサーバ２０の連絡帳ファイルデータベース２０ａに記憶されたユーザの連絡帳ファイル１２ｂを、携帯端末１０にダウンロードし、この連絡帳ファイル１２ｂを記憶部１２に記憶する。
【００６５】
また、これと同様に、連絡帳ファイル１２ｂは、図１１に示すように、携帯端末１０を販売した販売会社のコールセンタ等に設置されたＣＴＩ（Computer Telephony Integration）端末４０から、オペレータの操作に従って、生成することもできる。このように、ユーザは、ユーザ以外の人物が代行することにより生成された連絡帳ファイル１２ｂを利用することができる。
【００６６】
その他、本発明に係る連絡帳登録装置は、通常のコンピュータにより実現できる。また、上記の各実施形態で説明した動作を実行するための連絡帳登録プログラム１２ａをコンピュータにインストールし、この連絡帳登録プログラム１２ａをコンピュータが実行することにより連絡帳登録装置を構成しても良い。また、連絡帳登録プログラム１２ａは、持ち運び可能な記録媒体等に記録されたものでもよい。持ち運び可能な記録媒体には、例えば、ＣＤ−ＲＯＭ、ＤＶＤ−ＲＯＭ、ＢＤ−ＲＯＭ、ＭＯ等がある。また、連絡帳登録プログラム１２ａは、持ち運び可能な記録媒体から各種読取装置を介して、連絡帳登録装置にインストールされても良い。
【００６７】
また、コンピュータに連絡帳登録プログラム１２ａを提供する方法は任意である。例えば、連絡帳登録プログラム１２ａは、通信回線の掲示板（ＢＢＳ）にアップロードされ、通信回線を介してコンピュータに配信されてもよい。また、連絡帳登録プログラム１２ａは、連絡帳登録プログラム１２ａを表す信号により搬送波を変調した変調波により伝送され、この変調波を受信した装置が変調波を復調して連絡帳登録プログラム１２ａを復元するようにしてもよい。そして、コンピュータは、この連絡帳登録プログラム１２ａを起動して、ＯＳの制御のもと、他のアプリケーションと同様に実行する。これにより、コンピュータは、上記動作を実行する連絡帳登録装置として機能する。
【符号の説明】
【００６８】
１０  携帯端末（連絡帳登録装置）
１１  制御部
１１ａ  設定部
１１ｂ  登録部
１２  記憶部
１２ａ  連絡帳登録プログラム
１２ｂ  連絡帳ファイル
１３  通信部
１４  操作部
１５  表示部
１５ａ  連絡先を表す項目
１５ｂ  アイコン
１５ｃ  氏名及び画像を表す項目
１５ｄ  連絡先設定画面
１５ｅ  接続先の登録をユーザに促す画面
１５ｆ  接続先登録画面
１５ｇ  住所を表す項目
１５ｈ  アイコン
１５ｉ  その他の情報を表す項目
１５ｊ  リンク先を表すＵＲＬ
１６  外部接続部
２０  クラウドサーバ
２０ａ  連絡帳ファイルデータベース
３０  店舗用端末
４０  ＣＴＩ端末
Ｎ  ネットワーク
【図１】
2014116754.tif 000003
【図２】
2014116754.tif 000004
【図３】
2014116754.tif 000005
【図４】
2014116754.tif 000006
【図５】
2014116754.tif 000007
【図６】
2014116754.tif 000008
【図７】
2014116754.tif 000009
【図８】
2014116754.tif 000010
【図９】
2014116754.tif 000011
【図１０】
2014116754.tif 000012
【図１１】
2014116754.tif 000013